(57)【要約】【課題】アドレスと設置場所との対応関係がわかりやすく、重複のないアドレスの自動設定が可能な空気調和機のアドレス設定装置及びアドレス設定方法を提供する。【解決手段】一台の室外機１０に対し複数の室内機２０、２１，２２が接続された空気調和機において、室内機２０，２１，２２へのアドレス設定時、室外機からの通信回路遮断指令コマンドに対し、アドレスが決定していない室内機の各々が通信回路遮断器２７ａにより通信回路を遮断することにより、以降の室外機からのコマンドは、アドレスの決定していない室内機の中で、室外機１０に最も接続が近い室内機が、室外機１０に対する応答権を得る手法を取り、この手順を繰り返す事で、順次アドレスが決定されていくものである。【選択図】図３
2006125657.tif 000002
【特許請求の範囲】
【請求項１】
室外機と、複数の室内機と、前記室外機を起点として複数の前記室内機をシリアルに連結して通信接続する通信線とからなり、前記室外機は、前記室内機に通信接続するための室内機接続部を有する室外機側通信接続手段と、モード切換えに応じてモード設定やアドレス設定などの制御を行う制御手段とを備え、前記室内機は、モードの切換えや操作入力を行うリモコンと、前段の前記室外機または前段の前記室内機と通信接続するための入力側の入力側接続部と後段の前記室内機と通信接続するための出力側の出力側接続部とを有する室内機側通信接続手段と、前記リモコンや前記室外機からの指令に応じて所定の制御を行う制御手段とを備え、アドレスの自動設定モード時にアドレスの自動設定を行う空気調和機のアドレス設定装置において、アドレスが決定していない前記室内機の前記室内機側通信接続手段は前記入力側接続部と前記出力側接続部との間の通信回路の信号を所定の時間遮断する通信回路遮断器を備えるとともに、前記室内機は、信号遮断中に前記室外機から受信したアドレスを自己アドレスとして記憶する記憶部を備えることを特徴とする空気調和機のアドレス設定装置。
【請求項２】
室内機の制御手段は、アドレス設定終了後の所定の時間の経過後に、それぞれ設定したアドレスの可否の確認のため、設定したアドレスを前記室外機に通知するとともに、最終的に確定したアドレスを受信するためのアドレス送受信部を備えることを特徴とする、請求項１記載の空気調和機のアドレス設定装置。
【請求項３】
室外機と、複数の室内機と、前記室外機を起点として複数の前記室内機をシリアルに連結して通信接続する通信線とからなり、前記室外機は、前記室内機に通信接続するための室内機接続部を有する室外機側通信接続手段と、モード切換えに応じてモード設定やアドレス設定などの制御を行う制御手段とを備え、前記室内機は、モードの切換えや操作入力を行うリモコンと、前段の前記室外機または前段の前記室内機と通信接続するための入力側の入力側接続部と後段の前記室内機と通信接続するための出力側の出力側接続部とを有する室内機側通信接続手段と、前記リモコンや前記室外機からの指令に応じて所定の制御を行う制御手段とを備え、アドレスの自動設定モード時にアドレスの自動設定を行う空気調和機のアドレス設定装置において、アドレスが決定していない前記室内機の前記室内機側通信接続手段は前記入力側接続部と前記出力側接続部との間の通信ラインの信号を所定の時間遮断する通信回路遮断器を備えるとともに、前記室内機は、信号遮断中に室外機から受信したアドレスを自己アドレスとして記憶部に記憶するアドレス設定手段を備えてなり、前記室外機が各前記室内機に対して自己アドレスを消去するコマンドを送出する工程と、前記室外機から自己アドレスを消去するコマンドを受信した各前記室内機は自己アドレスを記憶している前記記憶部の内容の消去を実施する工程と、前記室外機が各前記室内機に対して前記通信回路遮断器により通信回路を遮断するコマンドを送出する工程と、前記室外機から通信回路を遮断するコマンドを受信した自己アドレスを持たない前記室内機は前記通信回路遮断器により通信回路を遮断する工程と、前記室外機が各前記室内機に対してアドレスを付与するコマンドを送出する工程と、前記室内機が通信回路遮断中に前記室外機からのアドレス付与コマンドを受信した場合、前記記憶部に受信したアドレスを自己アドレスとして記憶する工程とを備えることを特徴とする空気調和機のアドレス設定方法。
【請求項４】
各室内機は、室外機アドレス設定モード終了後の所定の時間が経過した後、それぞれ設定したアドレスの可否の確認のための、設定したアドレスを前記室外機に通知する工程を追加したことを特徴とする、請求項３に記載の空気調和機のアドレス設定方法。
【請求項５】
前記室外機は、受信した前記各室内機の各アドレスに重複がない場合、各前記各室内機から受信したアドレスをそれぞれのアドレスとして確定し記憶する工程を追加したことを特
長とする、請求項４に記載の空気調和機のアドレス設定方法。
【発明の詳細な説明】
【技術分野】
【０００１】
本発明は、空気調和機のアドレス設定装置およびアドレス設定方法に係り、より詳細には、通信線で相互に接続される室外機と複数の室内機とに対し、設置場所に対応したアドレスを自動で設定する空気調和機のアドレス設定装置およびアドレス設定方法に関する。
【背景技術】
【０００２】
従来、この種のアドレス設定方法としては、例えばランダム値発生手段でランダムなアドレスを発生させて仮アドレスを設定し、次に重複しないかどうかを確認後に番号順に正規のアドレスを設定するようにしたものがあった（特許文献１参照）。
【０００３】
図４は、特許文献１に記載された空調システムの構成を示す概略図である。
【０００４】
図５は、特許文献１に記載された各室外制御装置、及び各室内制御装置の内部ブロックを示す概略図である。
【０００５】
図６は、特許文献１に記載されたグループＡのマルチ形空気調和機の冷凍サイクル構成図である。
【０００６】
以下図４、図５及び図６を用いて特許文献１に記載の自動アドレス設定方法を説明する。
【０００７】
図４に示すように、１台の室外ユニットとこの室外ユニットに接続する複数（Ｍ）台の室内ユニットとを一つのグループとして構成するマルチ形空気調和機を、複数（Ｎ）グループ設置して、構成される。各マルチ形空気調和機のうちグループＡは室外ユニット１Ａと室内ユニット２Ａ１、２Ａ２、・・・２ＡＭからなり、該室外ユニットと各室内ユニットはユニット間バス３Ａで接続されている。グループＢは室外ユニット１Ｂと室内ユニット２Ｂ１、２Ｂ２、・・・２ＢＭからなり、この室外ユニットと各室内ユニットはユニット間バス３Ｂで接続されている。
【０００８】
グループＣは室外ユニット１Ｃと室内ユニット２Ｃ１、２Ｃ２、・・・２ＣＭからなり該室外ユニットと各室内ユニットはユニット間バス３Ｃで接続されている。
【０００９】
以下同様にして、グループＮのマルチ形空気調和機は室外ユニット１Ｎと室内ユニット２Ｎ１、２Ｎ２、・・・２ＮＭからなり、該室外ユニットと各室内ユニットはユニット間バス３Ｎで接続されている。
【００１０】
そしてユニット間バス３Ａ，３Ｂ，３Ｃ・・・３Ｎはシステムバス４を介して集中制御装置７と接続する。室外ユニット１Ａ，１Ｂ，１Ｃ，・・・１Ｍは室外制御装置６Ａ，６Ｂ，６Ｃ・・・６Ｍを備え、また室内ユニット２Ａ１〜２ＡＭ，２Ｂ１〜２ＢＭ，２Ｃ１〜２ＣＭ，・・・，２Ｎ１〜２ＮＭは室内制御装置５Ａ１〜５ＡＭ，５Ｂ１〜５ＢＭ，５Ｃ１〜５ＣＭ，・・・，５Ｎ１〜５ＮＭを備えている。
【００１１】
次に図５を用いて、各室外制御装置（６Ａ，６Ｂ，６Ｃ・・・６Ｍ）、及び各室内制御装置（５Ａ１〜５ＡＭ，５Ｂ１〜５ＢＭ，５Ｃ１〜５ＣＭ・・・５Ｎ１〜５ＮＭ）の働きを説明する。
【００１２】
室外制御装置６Ａ〜６Ｍには、室外ユニット全体の制御を行う室外ＣＰＵ１１と、室外
ユニットの入出力制御を行う入出力手段１２と、仮のアドレス値を発生させるランダム値発生手段１３と、アドレスを記憶するアドレス記憶手段１４と、室内ユニットと情報交換する通信手段ユニット間バス伝送回路８と、他の室外ユニットと情報交換する通信手段システムバス伝送回路９と、を備えている。
【００１３】
一方、室内制御装置５Ａ１〜５ＡＭ・・・５Ｎ１〜５ＮＭは、室内ユニット全体の制御を行う室内ＣＰＵ２１と、室内ユニットの入出力制御を行う入出力手段２２と、仮のアドレス値を発生させるランダム値発生手段２３と、アドレスを記憶するアドレス記憶手段２４と、同一グループ内の室外ユニットまたは他の室内ユニットと情報更新するユニット間バス伝送回路２５と、を備えている。
【００１４】
次に図６を用いてマルチ形空気調和機の冷凍サイクルを説明する。
【００１５】
図６は図４に示すグループＡのマルチ形空気調和機の冷凍サイクル構成図である。
【００１６】
冷凍サイクル構成機器として、各室内ユニット２Ａ１〜２ＡＮには、熱交換機３０、膨張弁３１、送風機３２が備えられ、一方、室外ユニット１Ａには熱交換機３３、アキュームレータ３４、四方弁３５、膨張弁３６、送風機３７、圧縮機３８を備えている。
【００１７】
また、室外ユニットと各室内ユニットは、冷媒配管３９と分岐管４０で接続されている。
【００１８】
次に空調システムにおける自動アドレス設定について述べる。まず、電源投入時、室外ユニット１Ａは、ユニット間バス伝送回路８Ａを介して、同一グループ内の複数の室内ユニット２Ａ１〜２ＡＭに対して、室内アドレス自動設定処理を行う。
【００１９】
すなわち、電源投入時にシステムバスの不通状態でグループＡにおいて、室外ユニット１Ａは、ユニット間バス３Ｂを通じて各室内ユニット２Ａ１〜２ＡＭに対して要求を送信し、各室内ユニットは、その要求に応じて、それぞれランダム値発生手段２３により仮の室内アドレスを発生させ、それをアドレス記憶手段２４に格納する。室外ユニット１Ａは、各室内ユニット２Ａ１〜２ＡＭと交信し室内ユニットの仮のアドレスが重複していないかチェックし、重複のある場合は、重複がなくなるまで、該当する室内ユニットにおいてランダム値発生手段２３により別の仮の室内アドレスを発生させる。
【００２０】
重複のない状態で、室外ユニット１Ａは、室内ユニット２Ａ１〜２ＡＭの仮のアドレスを若い順に並べ替え、通し番号を付けて室内ユニットに送信し、室内ユニット２Ａ１〜２ＡＭはそれぞれ正規の室内アドレスとしてアドレス記憶手段２４に格納する。同様にして、他のグループでもそれぞれ室内アドレス自動設定処理が行われる。
【特許文献１】特開２０００−２８１８１号公報
【発明の開示】
【発明が解決しようとする課題】
【００２１】
しかしながら、このようにランダムに自動設定するものは、設定作業自体は自動で行うので手間がかからないが、一旦設定後、あるいは保守時等にどのアドレスがどの場所のものか不明であり、調査する場合にはかえって手間がかかる、という問題がある。設定ミスなく自動でアドレス設定を行うが、特に設置場所と対応してアドレスと設置場所との関係が簡単にわかるような、例えば通信線の配線の順番に自動設定されるような設定方法や設定装置が望まれている。
【００２２】
また、自動設定を行った場合に、アドレスの重複や重複による通信の競合が発生しない
ことが望ましい。
【００２３】
本発明は、アドレスと設置場所との対応関係がわかりやすく、重複のないアドレスの自動設定が可能な空気調和機のアドレス設定装置およびアドレス設定方法の提供を目的とする。
【課題を解決するための手段】
【００２４】
前記従来の課題を解決するために本発明の空気調和機のアドレス設定装置およびアドレス設定方法は、室外機が送出するコマンドに従い、自己アドレスを持たない室内機は通信線の入力側接続部と出力側接続部の間に接続されている通信回路遮断器を一定時間開放し、出力側に室外機からのコマンドが伝わらなくした状態とする。
【００２５】
この状況において室外機から引き続き送信されるアドレス付与コマンドを受信できた室内機は、受信したアドレスを自己アドレスとして記憶部に格納する。
【００２６】
室内機及び室外機は、この一連の動作を必要な回数だけ繰り返し実施する。
【００２７】
これにより、室外機を基点として複数の室内機をシリアルに連結して構築されている空気調和機の場合、その連結の順番とアドレスが一致することとなるため、各室内機アドレスと設置場所との対応関係がわかりやすく、重複のないアドレスの自動設定が可能となる。
【発明の効果】
【００２８】
本発明の空気調和機のアドレス設定装置およびアドレス設定方法は、アドレスと設置場所との対応関係がわかりやすく、重複のないアドレスの自動設定が可能となる。
【発明を実施するための最良の形態】
【００２９】
第一の発明は、室外機と、複数の室内機と、室外機を起点として複数の室内機をシリアルに連結して通信接続する通信線とからなり、室外機は、室内機に通信接続するための室内機接続部を有する室外機側通信接続手段と、モード切換えに応じてモード設定やアドレス設定などの制御を行う制御手段とを備え、室内機は、モードの切換えや操作入力を行うリモコンと、前段の室外機または前段の室内機と通信接続するための入力側の入力側接続部と後段の室内機と通信接続するための出力側の出力側接続部とを有する室内機側通信接続手段と、リモコンや室外機からの指令に応じて所定の制御を行う制御手段とを備え、アドレスの自動設定モード時にアドレスの自動設定を行う空気調和機のアドレス設定装置において、アドレスが決定していない室内機の室内機側通信接続手段は入力側接続部と出力側接続部との間の通信回路の信号を所定の時間遮断する通信回路遮断器を備えるとともに、室内機は、信号遮断中に室外機から受信したアドレスを自己アドレスとして記憶する記憶部を備えることによりアドレスと設置場所との対応関係がわかりやすく、重複のないアドレスの自動設定が可能となる。
【００３０】
第二の発明は、室内機の制御手段は、アドレス設定終了後の所定の時間の経過後に、それぞれ設定したアドレスの可否の確認のための、設定したアドレスを室外機に通知するとともに、最終的に確定したアドレスを受信するためのアドレス送受信部を備えることにより、室内機及び室外機がお互いに付与されたアドレスを確認することが可能となり、アドレス付与の信頼性を向上することが可能となる。
【００３１】
（実施の形態１）
図１は本発明の実施の形態における空気調和機のアドレス設定装置の全体構成を示すブロック図である。
【００３２】
図１に示すように本発明の空気調和機のアドレス設定装置１は、室外機１０と、室内機２０、２１，２２と、室外機１０を起点として室内機２０、２１、２２をシリアルに連結して通信接続する通信線３０とからなる。
【００３３】
室外機１０は、室内機２０に通信接続するための室内機接続部１５を有する室外機側通信接続手段１４と、モード切換えに応じてモード設定を行うモード設定部１３ｄやアドレス設定などの制御を行う制御部１３ａ、および記憶部１３ｂを有する制御手段１３とを備える。
【００３４】
モード切換えの操作入力を行うモード切換部１１ａを有する操作入力手段１１を備える場合もある。室内機２０は、モードの切換えや操作入力を行うリモコン２８と、前段の室外機１０と通信接続するための入力側の入力側接続部２５ａと後段の室内機２１と通信接続するための出力側の出力側接続部２５ｂとを有する室内機接続部２５を具えた室内機側通信接続手段２４と、室外機１０からの指令に応じて所定の制御を行う制御部２３ａ、記憶部２３ｂを有する制御手段２３とを備え、アドレスの自動設定モード時にアドレスの自動設定を行う。室内機２１及び２２の構成についても室内機２０と同様であるので省略する。
【００３５】
図２は本発明の実施の形態における室内機側通信接続手段２４の機能を示すブロック図である。
【００３６】
図２において、室内機２０，２１，２２が有する室内機側通信接続手段２４は入力側接続部２５ａと出力側接続部２５ｂとの間のラインの信号を室外機１０からの所定のコマンドにより出力側へのデータ伝送を遮断する通信回路遮断器２７ａを備える。
【００３７】
図１において室外機１０の制御手段１３は、室外機１０に設けられた操作入力手段１１からの操作入力またはいずれかの室内機２０、２１，２２のリモコン２８からの操作入力によりアドレスの自動設定モードを開始する。
【００３８】
以上のような構成で、如何にして各室内機のアドレスを決定していくかを、図３のタイミングチャートにより説明する。
【００３９】
この説明における室外機と室内機の接続は室外機に近い方から順に、室内機２０、室内機２１、室内機２２とするが、もちろん、この３台に限定されるものではない。
【００４０】
アドレスの自動設定モード時に、室外機１０は接続されている室内機が記憶しているアドレスを消去するアドレス消去コマンドを送出する（タイミング１）。
【００４１】
室外機１０からアドレス消去コマンドを受信した室内機２０、２１、２２の各制御部２３ａは、それぞれが自己の記憶しているアドレスを記憶部２３ｂから消去する（タイミング２）。
【００４２】
次に室外機１０は室内機２０、２１、２２に対して入力側接続部２５ａと出力側制御部２５ｂの通信回路を遮断するための遮断指令コマンドを送出する（タイミング３）。
【００４３】
室外機１０から遮断指令コマンドを受信した室内機２０、２１、２２は、事前に設定されている時間、通信回路遮断機２７ａを開放し出力側へのデータ伝送ができないように通信回路を遮断する（タイミング４）。
【００４４】
これにより、それ以降の室外機１０からの通信は、室外機１０に最も接続が近い室内機２０のみが可能となり、それ以降に接続されている室内機２１、２２は通信線がそれぞれの上流で遮断されるため、受信不可能となる。
【００４５】
室外機１０は、アドレス１付与コマンドを送出する（タイミング５）。
【００４６】
受信可能な状態にある室内機２０は、引き続き室外機１０から送信されるアドレス１付与コマンドを制御部２３ａで受信し、アドレス１付与コマンドに対する正常受信応答を室外機１０に返した後、その時受信したアドレス１を記憶部２３ｂに記憶する（タイミング６）。
【００４７】
ここで、室内機の各々は、次に室外機１０が遮断指令コマンドを送出するまでに、通信回路遮断器２７ａの開放を終了し、受信可能な状態に戻る。
【００４８】
アドレス１付与コマンドを送出してから設定時間経過した室外機１０は、次に遮断指令コマンドを送出する（タイミング７）。
【００４９】
室外機１０から遮断指令コマンドを受信した室内機２０、２１、２２のうちアドレスを記憶していない室内機２１、２２は遮断指令コマンド受信後、室内機２１、２２がそれぞれ持つ通信回路遮断器制御部２７により、通信回路遮断機２７ａを用いて出力側への通信回路を遮断する（タイミング８）。
【００５０】
これにより、それ以降の室外機１０からの通信は、室外機１０に最も接続が近い室内機２０と次に近い室内機２１のみが可能となり、それ以降に接続されている室内機２２は通信線が上流で遮断されるため、受信不可能となる。
【００５１】
受信可能な室内機２０及び室内機２１は、引き続き室外機１０から送信されるアドレス２付与コマンドを制御部２３ａで受信するが、タイミング６でアドレスを記憶済みである室内機２０については、今回付与されたアドレスは記憶しない。
【００５２】
一方、室内機２１は、アドレス２付与コマンドに対する正常受信応答を室外機１０に返した後、今回受信したアドレス２を記憶部２３ｂに記憶する（タイミング１０）。
【００５３】
タイミング８の遮断開始から設定された時間経過後、室内機２１，２２は、次に室外機１０が送信を行う前までにそれぞれの通信回路遮断機２７ａによる遮断を終了し、受信が行える状態に戻る。
【００５４】
アドレス２を送出してから設定時間経過した室外機１０は、遮断指令コマンドを送出する（タイミング１１）。
【００５５】
室外機１０から遮断指令コマンドを受信した室内機２０、２１、２２のうちアドレスが記憶されていない室内機２２は、事前に設定されている時間、通信回路遮断機２７ａにより出力側通信回路を遮断する（タイミング１２）。
【００５６】
これにより、それ以降の室外機１０からの通信は、室内機２０，２１，２２が可能となる。
【００５７】
受信可能な室内機２０、２１、２２は、引き続き室外機１０から送信されるアドレス３付与コマンドを各々の制御部２３ａで受信するが、室内機２０および室内機２１はタイミング６及びタイミング１０でそれぞれアドレスを記憶済みであるため、今回のアドレスは
記憶しない。一方室内機２３はアドレスを記憶していないため、アドレス３付与コマンドに対する正常受信応答を室外機１０に返した後、アドレス３を記憶部２３ｂに記憶する（タイミング１４）。
【００５８】
タイミング１２の遮断開始から設定された時間経過後、室内機２２は通信回路遮断機２７ａによる遮断を終了する（タイミング１５）。
【００５９】
室外機１０は以降、遮断指令コマンドとアドレス付与コマンドを設定されている確認台数最大数まで実施する。
【００６０】
しかし、本実施の形態においては４台目以降のアドレス付与コマンドについては、室内機が正常受信した場合の応答が室外機１０には戻ってこないため、室外機１０は、以降の室内機は存在しないことが確認できるため、この時点で、アドレスの付与を終了する。
【００６１】
アドレスの付与が終了した室外機１０は、付与したアドレスの可否の確認のため、アドレス付与終了コマンドを送出する（タイミング１５）。
【００６２】
アドレス付与終了コマンドを受信した室内機２０，２１，２２は、所定の設定時間経過後、アドレス順に順次室外機１０に対し送信を行なう。
【００６３】
これにより、室外機からの応答で、室内機２０、２１、２２は自己が記憶したアドレスが正しいことの確認が取れる一方、室外機１０は、送られてきたアドレスに重複等異常がない事を確認し、記憶部１３ｂに記憶する。
【産業上の利用可能性】
【００６４】
以上のように、本発明にかかる空気調和機のアドレス設定装置及びアドレス設定方法は、一台の室外機に対し複数の室内機が接続された空気調和機において、室外機からの通信回路遮断指令コマンドに対し、アドレスが決定していない室内機の各々が通信回路を遮断することにより、室外機に最も近いアドレスの決定していない室内機が室外機に対する応答権を得ることにより順次アドレスが決定されていくため、室内機が得る室温等のランダムさに着眼して自動設定するものは、設定作業自体は自動で行うので手間がかからないが、一旦設定後、あるいは保守時等にどのアドレスがどの場所のものか不明であり、調査する場合にはかえって手間がかかるという問題もなく、アドレスと設置場所との対応関係がわかりやすく、重複のないアドレスの自動設定が可能となるので、安価なＣＰＵを搭載している、マスタ、スレーブの関係が同様なシステムの用途にも適用できる。
【図面の簡単な説明】
【００６５】
【図１】本発明の実施の形態における空気調和機のアドレス設定装置の全体構成を示すブロック図
【図２】本発明の実施の形態における室内機の通信接続手段２４と制御手段２３の機能を示すブロック図
【図３】本発明の実施の形態における自動アドレス設定を行う際の処理手順を示すタイミングチャート
【図４】従来例における空調システムの構成を示す概略図
【図５】従来例における各室外制御装置、及び各室内制御装置の内部ブロックを示す概略図
【図６】従来例におけるグループＡのマルチ形空気調和機の冷凍サイクル構成図
【符号の説明】
【００６６】
１  アドレス設定装置
１０  室外機
１４  室外機側通信接続手段
１３  室外機側制御手段
２０  室内機
２３  室内機側制御手段
２３ｂ  記憶部
２３ｄ  アドレス送受信部
２４  室内機側通信接続手段
２５  室内機接続部
２５ａ  入力側接続部
２５ｂ  出力側接続部
２７ａ  通信回路遮断器
３０  通信線
【図１】
2006125657.tif 000003
【図２】
2006125657.tif 000004
【図３】
2006125657.tif 000005
【図４】
2006125657.tif 000006
【図５】
2006125657.tif 000007
【図６】
2006125657.tif 000008